(57)【要約】      （修正有）【課題】弾倉取り外し操作の利便性を向上した銃の弾倉取り外し装置を提供する。【解決手段】銃の弾倉取り外し装置は、ハンマー１、弾圧アセンブリ２、連棒３を備え、ハンマー１のプッシュ嵌合端１１が押される前には、係合端１２は内側へ向い弾倉ＢのボトルリリースレバーＢ１に係合し、弾倉ＢをメインバレルＡに装着し、プッシュ嵌合端１１が押されると、係合端１２は外へ向かい、弾倉ＢのボトルリリースレバーＢ１を離れ、弾倉Ｂは取り外される。弾圧アセンブリ２のプッシュブロック２１は、左右に横方向移動が可能で、メインバレルＡを可動状に貫通し、プッシュブロック２１が左右移動すると、連棒３は前後へと移動し、連棒３の後側には外推部３２を備え、プッシュブロック２１が左へ、或いは右へ移動し、連棒３が前へと移動すると、連棒３の外推部３２は外へ向かい、ハンマー１の係合端１２を移動させる。【選択図】図３
0003186014.tif 000002
【実用新案登録請求の範囲】
【請求項１】
銃の弾倉取り外し装置において、銃はメインバレル、弾倉、弾倉取り外し装置を備え、前記メインバレルは、メイングリップを備え、前記弾倉は、前記メイングリップの後方に位置し、しかも前記弾倉は、ボトルリリースレバーを備え、前記弾倉取り外し装置は、少なくとも、前記弾倉の装着と取り外しに用いるハンマーを備え、前記ハンマーは、前記メインバレルの片側辺に設置し、前記ハンマーの両端には、それぞれプッシュ嵌合端、係合端を形成し、前記プッシュ嵌合端の内辺には、第一弾性部品を設置し、前記プッシュ嵌合端が押される前には、前記係合端は、内側へ向い前記弾倉のボトルリリースレバーに係合し、前記弾倉を前記メインバレルに装着し、前記プッシュ嵌合端が押されると、前記係合端は、外へ向かい、前記弾倉のボトルリリースレバーを離れ、前記弾倉は、取り外され、  前記弾倉取り外し装置は、弾圧アセンブリ、連棒を備え、前記弾圧アセンブリ及び前記連棒は、前記メインバレルの内側に設置し、前記弾圧アセンブリは、少なくともプッシュブロック、作動ブロックを備え、前記プッシュブロックは、左右に横方向移動が可能で、前記メインバレルを可動状に貫通し、前記作動ブロックは、前記プッシュブロックに可動状に設置し、しかも前記作動ブロックは、前記連棒の前側に接続し、前記プッシュブロックが左右移動すると、前記作動ブロックは、前記連棒と同期して前後へと移動し、前記連棒の後側には、外推部を備え、前記外推部は、前記ハンマーの内辺に設置し、前記作動ブロックが前記連棒を前へと移動させる時、前記連棒の外推部は、外へ向かい、前記ハンマーの係合端を移動させ、前記弾倉のボトルリリースレバーから離れさせ、これにより前記弾倉は、取り外され、しかも前記作動ブロックが前記連棒を後へと移動させる時、前記外推部は、後へと移動し、前記ハンマーの係合端は、内へと、前記弾倉のボトルリリースレバーを係合することを特徴とする銃の弾倉取り外し装置。
【請求項２】
前記弾圧アセンブリは、メイングリップの前方に設置し、前記プッシュブロックは、対称に設置され、左斜溝と右斜溝を連通し、前記プッシュブロックの未移動時には、前記作動ブロックは、前記左斜溝と前記右斜溝との間に可動状に設置し、前記プッシュブロックが左へと移動する時、前記作動ブロックは前へと押され、前記右斜溝に進入し、前記プッシュブロックが右へと移動する時、前記作動ブロックは前へと押され、前記左斜溝に進入することを特徴とする請求項１に記載の銃の弾倉取り外し装置。
【請求項３】
前記弾圧アセンブリはさらに、推移ブロック、２個の第二弾性部品を増設し、前記推移ブロックの前端は、前記プッシュブロックに固定し、前記２個の第二弾性部品は、前記推移ブロックの左、右側辺にそれぞれ設置され、しかも前記プッシュブロックが左へ或いは右へと移動後、前記２個の第二弾性部品の弾性回復力により、前記プッシュブロックはもとの位置に回復し、及び前記作動ブロックは、前記左斜溝と前記右斜溝の間の位置にもどることを特徴とする請求項２に記載の銃の弾倉取り外し装置。
【請求項４】
前記作動ブロックの上端は、突出部で、しかも前記突出部は、上方へと前記プッシュブロックに突出し、前記連棒の前側には、側向部を備え、前記側向部は、前記突出部に接続することを特徴とする請求項３に記載の銃の弾倉取り外し装置。
【請求項５】
前記連棒の中段位置には、水平孔を設置し、しかも定位棒を通して設置することを特徴とする請求項４に記載の銃の弾倉取り外し装置。
【請求項６】
前記プッシュブロックの後側には、受け凹部を備え、しかも前記推移ブロックの前端は、前記受け凹部に固定することを特徴とする請求項５に記載の銃の弾倉取り外し装置。
【請求項７】
前記ハンマーの係合端の内側辺には、凹斜部を備え、前記作動ブロックが、前記連棒を連動して前方へと移動させる時、前記外推部は外へ向かい、前記凹斜部に移動し、これにより前記係合端は外へと移動し、前記弾倉のボトルリリースレバーを離れることを特徴とする請求項６に記載の銃の弾倉取り外し装置。
【考案の詳細な説明】
【技術分野】
【０００１】
本考案は銃の弾倉取り外し装置に係わり、特に弾倉取り外しの際に前、後から二種の操作方式を使用可能な銃の弾倉取り外し装置に関する。
【背景技術】
【０００２】
図１に示すような一般の大型銃では、その弾倉１０はメインバレルaのメイングリップ２０の前方に設置する。
弾倉１０の装着、取り外しは、弾倉取り外し装置bにより行う。
【０００３】
弾倉取り外し装置bは、ハンマー３０を備える。
ハンマー３０は、メインバレルaの片側辺に設置する。
ハンマー３０の両端は、それぞれファイアリングピン３０１と係合端３０２である。
ファイアリングピン３０１の内辺には、弾性部品３０３を設置する。
ファイアリングピン３０１を押していない時には、係合端３０２は内側に向い、弾倉１０のボトルリリースレバー１０１に係合して固定する。
これにより弾倉１０は、メインバレルaに組み立てられ定位される。
ファイアリングピン３０１が押されると、係合端３０２は外に向かい移動し、弾倉１０のボトルリリースレバー１０１を離れる。
これにより弾倉１０は取り外される。これが一般に良く見られる弾倉１０の装着、取り外し構造である。
【０００４】
一方、銃機能の設計に対する考慮に基づき、弾倉１０を、メインバレルaのメイングリップ２０後方に設置するタイプの銃(図２参照)もある。
その弾倉１０の装着、取り外しは、同様に弾倉取り外し装置bにより達成される(構造組成と実施状況は、上記と同様であるため、ここでは詳述しない)。
【０００５】
しかし、実施においては、以下の欠点が存在する。
一、従来タイプの銃の弾倉１０は、後ろ側の銃床４０に比較的近いため、使用者の身体に近い。
そのため使用者が銃を持ち撃った後に、弾倉１０を交換する時には、ハンマー３０が前方の視線上にないため、メイングリップ２０を握っていないもう一方の手(一般的には左手)は、ファイアリングピン３０１を押しにくく、弾倉１０を取り外すことが難しい。そのため弾倉１０の取り外しと装着が面倒である。
二、従来タイプの銃の使用者が弾倉１０を交換する時には、一般に銃を下に下ろし弾倉１０を交換した後に、再び銃を持ち銃を撃つ。
しかし、これは操作上において非常に不便で、しかも機動性が劣るという欠点が明らかである。
本考案は、従来の銃の上記した欠点に鑑みてなされたものである。
【考案の概要】
【考案が解決しようとする課題】
【０００６】
本考案が解決しようとする課題は、弾倉をメインバレルのメイングリップ後方に設置する従来タイプの銃において、弾倉を取り外す時における不便を招く欠点を解決する銃の弾倉取り外し装置を提供することである。
【課題を解決するための手段】
【０００７】
上記課題を解決するため、本考案は下記の銃の弾倉取り外し装置を提供する。
銃の弾倉取り外し装置において、銃はメインバレル、弾倉、弾倉取り外し装置を備える。該メインバレルはメイングリップを備え、該弾倉は該メイングリップの後方に位置し、しかも該弾倉はボトルリリースレバーを備える。
該弾倉取り外し装置は、少なくとも該弾倉の嵌合と取り外しに用いるハンマーを備える。該ハンマーは該メインバレルの片側辺に設置し、該ハンマーの両端には、それぞれプッシュ嵌合端、係合端を形成する。
該プッシュ嵌合端の内辺には第一弾性部品を設置し、該プッシュ嵌合端が押される前には、反対端の係合端は内側へ向い該弾倉のボトルリリースレバーに係合し、該弾倉を該メインバレルに装着する。
該プッシュ嵌合端が押されると、該係合端は外へ向かい、該弾倉のボトルリリースレバーを離れ、該弾倉は取り外される。
該弾倉取り外し装置は、弾圧アセンブリ、連棒を備え、該弾圧アセンブリ及び該連棒は、該メインバレルの内側に設置する。
該弾圧アセンブリは少なくともプッシュブロック、作動ブロックを備え、該プッシュブロックは、左右に横方向移動が可能で、該メインバレルを可動状に貫通する。
すなわち該プッシュブロックは、左へ、或いは右へと押され、該メインバレルを横方向に可動状に貫通する。
該作動ブロックは、該プッシュブロックに可動状に設置し、しかも該作動ブロックは、該連棒の前側に接続する。
該プッシュブロックが左右移動すると、該作動ブロックは該連棒と同期して前後へと移動する。
該連棒の後側には外推部を備え、しかも該外推部は延伸して該ハンマーの内辺に設置する。
該プッシュブロックが押され、該作動ブロックが該連棒を連動し前へと移動させる時、該外推部は外へ向かい、該ハンマーの係合端を移動させ、該係合端は移動して該弾倉のボトルリリースレバーから離れる。
これにより該弾倉は取り外され、しかも該プッシュブロックは押されず、該作動ブロックが該連棒を連動して後へと移動させる時、該外推部は後ろへ移動する。
該ハンマーの係合端は、内へ向い該弾倉のボトルリリースレバーに係合する。こうして該弾圧アセンブリを操作して該連棒により該ハンマーを連動し、該弾倉を取り外す効果を達成することができる。
【０００８】
該弾圧アセンブリは該メイングリップの前方に設置し、該プッシュブロックは対称に設置されて左斜溝と右斜溝を連通する。
該プッシュブロックの未移動時には、該作動ブロックは該左斜溝と該右斜溝との間に可動状に設置する。
該プッシュブロックが押され左へと移動する時、該作動ブロックは前へと押されて該右斜溝に進入する。
該プッシュブロックが押され右へと移動する時、該作動ブロックは前へと押されて該左斜溝に進入する。
該弾圧アセンブリは推移ブロック、２個の第二弾性部品を増設し、該推移ブロックの前端は該プッシュブロックに固定する。
該２個の第二弾性部品は該推移ブロックの左、右側辺にそれぞれ設置され、しかも該プッシュブロックが左へ或いは右へと移動後、該２個の第二弾性部品の弾性回復力により、該プッシュブロックはもとの位置に回復する。
さらに該作動ブロックは、該左斜溝と該右斜溝の間の位置にもどる。
すなわち該作動ブロックが該連棒を後へと移動させる時、該ハンマーの係合端は内へと移動し、しかも該弾倉を再度装着する時には、該係合端は再び弾倉のボトルリリースレバーを係合する。
該作動ブロックの上端は突出部で、しかも該突出部は上方へと該プッシュブロックに突出し、該連棒の前側には側向部を備え、該側向部は該突出部に接続する。
これにより該作動ブロックは該連棒の前側に接続する。
【０００９】
該連棒の中段位置には水平孔を設置し、しかも定位棒を通して設置する。
該プッシュブロックの後側には、受け凹部を備え、しかも該推移ブロックの前端は、該受け凹部に固定する。
該ハンマーの係合端の内側辺には凹斜部を備え、該作動ブロックが、該連棒を連動して前方へと移動させる時、該外推部は外へ向かい該受け凹部に移動する。
これにより該係合端は外へと移動し、該弾倉のボトルリリースレバーを離れる。
【考案の効果】
【００１０】
本考案の銃の弾倉取り外し装置は、弾倉をメインバレルのメイングリップ後方に設置する従来タイプの銃において、メイングリップ前方に弾圧アセンブリを増設する。
増設した連棒によりハンマーを連動可能として弾倉を取り外すことができるようにし、弾倉取り外し操作の利便性を向上させることができる。
【図面の簡単な説明】
【００１１】
【図１】従来の弾倉をメインバレルのメイングリップ前方に設置する銃の立体実施例と弾倉取り外し装置を示す立体分解図である。
【図２】従来の弾倉をメインバレルのメイングリップ後方に設置する銃の立体実施例と弾倉取り外し装置を示す立体分解図である。
【図３】本考案の立体構造及び部分分解実施例図である。
【図４】本考案の立体外観実施例図である。
【図５】本考案の弾倉アセンブリと連棒の立体分解実施例図である。
【図６】本考案の別視点からの立体組合せ構造参考図である。
【図７】本考案の弾倉アセンブリにおいて、プッシュブロックがまだ押されていない時の構造を示す俯瞰実施例図である。
【図８】本考案の弾倉アセンブリにおいて、プッシュブロックが左へと押された時の構造を示す俯瞰実施例、及び作動参考図である。
【図９】本考案の連棒が前方へと移動する前のハンマーの構造を示す俯瞰参考図である。
【図１０】本考案の連棒が前方へと移動した時のハンマーの構造を示す俯瞰参考図である。
【考案を実施するための形態】
【００１２】
以下に図面を参照しながら本考案を実施するための最良の形態について詳細に説明する。
【００１３】
図３の具体的実施例に示すように、本考案、銃の弾倉取り外し装置において、銃はメインバレルＡ、弾倉Ｂ、弾倉取り外し装置Ｃを備える。
【００１４】
メインバレルＡは、メイングリップＡ１を備える。
メインバレルＡ１前方には、引き金Ａ２を設置する(図４参照)。
引き金Ａ２上方には、引き金台Ａ３を備える(図３参照)。
引き金台Ａ３の前方には、前台Ａ４を設置する。
前台Ａ４上方には、蓋板Ａ５を設置し、しかも蓋板Ａ５の前方には、切り欠きＡ５１を備える。
【００１５】
弾倉ＢはメイングリップＡ１の後方に装着し、しかもボトルリリースレバーＢ１を備える。
【００１６】
弾倉取り外し装置Ｃは、ハンマー１、弾圧アセンブリ２、連棒３を備える。
ハンマー１(図３参照)は、メインバレルＡの片側辺に設置し、しかも弾倉Ｂの上方片側に位置する。
ハンマー１の両端には、それぞれプッシュ嵌合端１１、係合端１２を形成する。
プッシュ嵌合端１１の内辺には、第一弾性部品１３を設置し、第一弾性部品１３の弾力作用を受ける。
これにより、プッシュ嵌合端１１が押される前には、反対端の係合端１２は、内側へ向い弾倉ＢのボトルリリースレバーＢ１に係合(図９参照)し、弾倉ＢをメインバレルＡに装着する。
プッシュ嵌合端１１が押される(図１０参照)と、係合端１２は外へ向かい、ボトルリリースレバーＢ１を離れる。
これにより弾倉Ｂは取り外される。
【００１７】
弾圧アセンブリ２(図３参照)は、メインバレルＡの内側に設置し、しかもメイングリップＡ１の前方に位置する。
弾圧アセンブリ２はプッシュブロック２１、作動ブロック２２、推移ブロック２３、第二弾性部品２４を備える(図５参照)。
【００１８】
プッシュブロック２１は、左右に横方向移動が可能で、メインバレルＡを可動状に貫通する。
すなわちプッシュブロック２１の左右両側は、メインバレルＡにおいて突出する(図７参照)。
しかもプッシュブロック２１は、左へ、或いは右へと押され、横方向にメインバレルＡを可動状に貫通する。
プッシュブロック２１は、引き金台Ａ３の前方に位置し(図５参照)、しかもプッシュブロック２１は対称に設置され、左斜溝２１１と右斜溝２１２を連通する。
またプッシュブロック２１の後側には、受け凹部２１３を備える。
【００１９】
作動ブロック２２は、プッシュブロック２１に可動状に設置する。
しかもプッシュブロック２１が押されていない時(図７参照)には、作動ブロック２２は、左斜溝２１１と右斜溝２１２の間に位置する。
プッシュブロック２１が押される左へと移動すると(図８参照)、作動ブロック２２は、前方へと移動させられ、右斜溝２１２に進入する。
反対にプッシュブロック２１が押され、右へと移動すると、作動ブロック２２は前方へと移動させられ、左斜溝２１１に進入する(図示なし)。
さらに作動ブロック２２の上端は突出部２２１で、しかも突出部２２１は上方へとプッシュブロック２１に突出し、蓋板Ａ５の切り欠きＡ５１内に位置する(図６参照)。
【００２０】
推移ブロック２３の前端は、プッシュブロック２１の受け凹部２１３に固定する。
しかも推移ブロック２３は前台Ａ４上に位置し、しかも蓋板Ａ５の下方に位置する。
【００２１】
２個の第二弾性部品２４は、推移ブロック２３の左、右側辺にそれぞれ設置される。
しかもプッシュブロック２１は押され、左へ或いは右へと移動後、２個の第二弾性部品２４の弾性回復力により、それぞれもとの位置に回復する。
もとに戻る時には作動ブロック２２は、左斜溝２１１と右斜溝２１２の間に位置する。
【００２２】
連棒３(図３参照)は、メインバレルＡの内側に設置する。
連棒３の前側には、側向部３１を備える。
しかも側向部３１は、作動ブロック２２の突出部２２１に接続する。
これによりプッシュブロック２１が、左へ、或いは右へと押され移動する時、作動ブロック２２は、連棒３と同期して前後へと移動する。
【００２３】
別に連棒３の後側には、外推部３２を備える。
しかも外推部３２は延伸して、ハンマー１の内辺に設置する(図９参照)。
【００２４】
プッシュブロック２１が押されると、作動ブロック２２は前方へと移動し、左斜溝２１１或いは右斜溝２１２に進入する(図８参照、図中では右斜溝への進入を例とする)。
これにより作動ブロック２２は連棒３を連動して前方へと移動させる。
この時外推部３２は外へ向かい、ハンマー１の係合端１２を移動させる。
これにより係合端１２は移動し、弾倉ＢのボトルリリースレバーＢ１を離れ(図１０参照)、こうして弾倉Ｂは取り外される。
【００２５】
プッシュブロック２１が押されないと、作動ブロック２２は、左斜溝２１１と右斜溝２１２の間に戻る(図７参照)。
これにより作動ブロック２２は、連棒３の後方への移動を連動する。
この時外推部３２は、後方へと移動する。
これによりハンマー１の係合端１２は、内へ向い、弾倉ＢのボトルリリースレバーＢ１に係合する(図９参照)。
【００２６】
さらに連棒３の中段位置には、水平孔３３を設置し、しかも定位棒Ａ６を通して設置する。
水平孔３３の孔径は、連棒３が前、後移動のために予め確保する余裕を備える。
【００２７】
この他、ハンマー１の係合端１２の内側辺には、凹斜部１２１を備える。
外推部３２は、外へと移動し、凹斜部１２１に入る。
これにより係合端１２は、外へと移動し、弾倉ＢのボトルリリースレバーＢ１を離れる(図１０参照)。
【００２８】
上記した構成と構造に対する説明により、弾倉Ｂを取り外す時には、二つの方法があることは明らかである。
弾倉Ｂを取り外す時には、ハンマー１を操作してプッシュ嵌合端１１を押す。
係合端１２は外へと移動し、ボトルリリースレバーＢ１を離れ、弾倉Ｂは取り外される。
この他、弾圧アセンブリ２を操作し、プッシュブロック２１、作動ブロック２２、推移ブロック２３、第二弾性部品２４の構造設計、及び連棒３を連動して前後移動させることで、連棒３が前方へと移動する時(図８参照)には、外推部３２により外へと、ハンマー１の係合端１２を移動させ(図１０参照)、これにより係合端１２は、移動して、弾倉ＢのボトルリリースレバーＢ１を離れ、弾倉Ｂは取り外される。
【００２９】
すなわち弾圧アセンブリ２を操作すれば、連棒３がハンマー１を連動することで、弾倉Ｂを装着、及び取り外す効果を達成することができる。
しかも弾圧アセンブリ２は、メイングリップＡ１の前方に位置するため、使用者の操作視線前方にある。
よって使用者は非常に便利に、プッシュブロック２１を押し、弾倉Ｂを取り外すことができる。
こうして従来構造に存在する欠点を取り除くことができる。
【００３０】
上記の本考案名称と内容は、本考案技術内容の説明に用いたのみで、本考案を限定するものではない。本考案の精神に基づく等価応用或いは部品(構造)の転換、置換、数量の増減はすべて、本考案の保護範囲に含むものとする。
【符号の説明】
【００３１】
a       メインバレル
b       弾倉取り外し装置
１０    弾倉
１０１  ボトルリリースレバー
２０    メイングリップ
３０    ハンマー
３０１  ファイアリングピン
３０２  係合端
３０３  弾性部品
４０    銃床
Ａ     メインバレル
Ａ１   メイングリップ
Ａ２   引き金
Ａ３   引き金台
Ａ４   前台
Ａ５   蓋板
Ａ５１ 切り欠き
Ａ６   定位棒
Ｂ     弾倉
Ｂ１   ボトルリリースレバー
Ｃ     弾倉取り外し装置
１     ハンマー
１１   プッシュ嵌合端
１２   係合端
１２１ 凹斜部
１３   第一弾性部品
２     弾圧アセンブリ
２１   プッシュブロック
２１１ 左斜溝
２１２ 右斜溝
２１３ 受け凹部
２２   作動ブロック
２２１ 突出部
２３   推移ブロック
２４   第二弾性部品
３     連棒
３１   側向部
３２   外推部
３３   水平孔
【図１】
0003186014.tif 000003
【図２】
0003186014.tif 000004
【図３】
0003186014.tif 000005
【図４】
0003186014.tif 000006
【図５】
0003186014.tif 000007
【図６】
0003186014.tif 000008
【図７】
0003186014.tif 000009
【図８】
0003186014.tif 000010
【図９】
0003186014.tif 000011
【図１０】
0003186014.tif 000012